(57)【要約】      （修正有）【課題】デザイン性に優れたフォルダを提供する。【解決手段】書類等を表面と背面との間に保持するためのフォルダであって、表面に表示された図案の一部における形状と同一の形状を有する指かけ２を備える。指かけ２に限らず裂け止め３にも図案の一部における形状と同一の形状を有することとしてもよい。また、指かけ２や裂け止め３以外の切欠きを有するフォルダにおいて、切欠きが図案の一部における形状と同一の形状を有することとしてもよい。【選択図】図１
0003218005.tif 000002
【実用新案登録請求の範囲】
【請求項１】
書類等を表面と背面との間に保持するためのフォルダであって、
前記表面は、図案が表示され、指かけを有し、
前記指かけは、前記図案の一部における形状と同一の形状を有することを特徴とする、フォルダ。
【請求項２】
前記表面は、裂け止めを有し、
前記裂け止めは、前記図案の一部における形状と同一の形状を有することを特徴とする、請求項１に記載のフォルダ。
【請求項３】
書類等を表面と背面との間に保持するためのフォルダであって、
前記表面は、図案が表示され、
前記表面の一部と前記背面とが接合されて袋状部を構成し、
前記表面の前記一部と反対の側に延伸される封止部を有し、
前記背面は、前記封止部を係止する切欠きを有し、
前記切欠きは、前記図案の一部における形状と同一の形状を有することを特徴とする、フォルダ。
【考案の詳細な説明】
【技術分野】
【０００１】
本考案は、書類等を保持するためのフォルダに関する。
【背景技術】
【０００２】
書類等を保持するためのフォルダ（例えば「クリアファイル」と呼ばれる矩形の２辺が開いたフォルダ）が知られている。
【０００３】
かかるフォルダは、２つの面を分離しやすくするために該２つの面のうちの一つに設けられた指かけ、面の破断を防止するための裂け止め、その他の切欠き形状を有する。
【０００４】
切欠き形状は、フォルダにデザイン性を与えており、その形状を工夫して、フォルダをデザイン性に優れたものとすることができる。特許文献１には、指かけを動植物，乗物，文字，幾何学模様，ロゴマーク等の形状としたクリアフォルダが開示されている。
【０００５】
しかし、特許文献１に開示のものは、指かけの形状を独立に工夫しており、クリアフォルダ全体の美観に合わせて指かけの形状を設計するものではない。
【先行技術文献】
【特許文献】
【０００６】
【特許文献１】実用新案登録３１７７０００号公報
【考案の概要】
【考案が解決しようとする課題】
【０００７】
本考案は、デザイン性に優れたフォルダを提供することを課題とする。
【課題を解決するための手段】
【０００８】
本考案のフォルダは、
書類等を表面と背面との間に保持するためのフォルダであって、
前記表面は、図案が表示され、指かけを有し、
前記指かけは、図案の一部における形状と同一の形状を有することを特徴とする。
【０００９】
この特徴によれば、指かけの形状とフォルダ表面の図案とが統一され、フォルダ全体の美観が優れたものとなる。
【００１０】
本考案のフォルダは、
前記表面は、裂け止めを有し、
前記裂け止めは、図案の一部における形状と同一の形状を有することを特徴とする。
【００１１】
この特徴によれば、指かけのみならず裂け止めもフォルダ表面の図案とが統一された形状となる。
【００１２】
本考案のフォルダは、
書類等を表面と背面との間に保持するためのフォルダであって、
前記表面は、図案が表示され、
前記表面の一部と前記背面とが接合されて袋状部を構成し、
前記表面の前記一部と反対の側に延伸される封止部を有し、
前記背面は、前記封止部を係止する切欠きを有し、
前記切欠きは、図案の一部における形状と同一の形状を有することを特徴とする。
【００１３】
この特徴によれば、指かけを有さない袋状のフォルダについても、切欠きの形状とフォルダ表面の図案とが統一され、フォルダ全体の美観が優れたものとなる。。
【考案の効果】
【００１４】
本考案によれば、デザイン性に優れたフォルダを提供することができる。
【図面の簡単な説明】
【００１５】
【図１】図１は、クリアファイルを示す図である。
【図２】図２は、従来のクリアファイルを示す図である。
【図３】図３は、クリアファイルのバリエーションを示す図である。
【図４】図４は、クリアファイルのバリエーションを示す図である。
【図５】図５は、クリアファイルのバリエーションを示す図である。
【図６】図６は、フォルダを示す図である。
【図７】図７は、仕切り付きのクリアファイルを示す図である。
【考案を実施するための形態】
【００１６】
以下、本考案の実施例について説明する。
【実施例１】
【００１７】
フォルダがクリアファイルである実施例を示す。
【００１８】
図１は、クリアファイルを示す図である。クリアファイル１は、矩形の表面と背面とが２辺において接合され、表面には図案（本例では龍の図案）が表示されている。
【００１９】
表面には、書類等を出し入れする際に表面と背面を分離しやすくするための切欠きである指かけ２と、外力を分散して破断を防止するための切欠きである裂け止め３とが設けられている。
【００２０】
ここで、指かけ２の形状は、図案中の龍の頭部と同一である。指かけ２が図案と調和し、クリアファイル１全体が自然なデザインとなっている。
【００２１】
図２は、従来のクリアファイルを示す図である。指かけ２の形状は、広く用いられている半円形である。図案と無関係の半円形が見え、クリアファイル１全体のデザインは必ずしも優れたものではない。
【００２２】
図１と図２を比較することで、本考案によるデザインが優れていることが分かる。
【００２３】
以上詳細に説明したように、本実施例のクリアファイル１は、指かけ２の形状が、図案中の形状（龍の頭部）と同一であることにより、自然なデザインとなっている。
【００２４】
なお、裂け止め３についても、同様に、龍の頭部と同一の形状としてもよい。
【実施例２】
【００２５】
図３は、クリアファイルのバリエーションを示す図である。実施例１においては指かけ２の切欠き形状を全体として図案中の龍の頭部と同一としたが、本実施例では、指かけ２の半円形の切欠きに向けて、図案中の龍の頭部と同一形状を表面から突出させている。
【００２６】
このように、指かけ２の切欠き形状そのものが図案中の龍の頭部と同一でなくとも、指かけ２の一部に図案中の龍の頭部と同一の形状を有することで、実施例１と同様に自然なデザインとなっている。
【実施例３】
【００２７】
図４は、クリアファイルのバリエーションを示す図である。実施例１においては図案に龍が描かれていたところ、植物と鳥を描き、指かけ２の切欠き形状を鳥の形状としたものである。
【００２８】
このように、各種の図案について、指かけ２に図案中の形状と同一の形状を有することで、実施例１と同様に自然なデザインを実現することができる。
【実施例４】
【００２９】
図５は、クリアファイルのバリエーションを示す図である。図案を幾何学模様とし、指かけ２と裂け止め３をそこに含まれる形状としたものである。
【００３０】
このように、幾何学模様の図案についても、実施例１と同様に自然なデザインを実現することができる。
【実施例５】
【００３１】
本実施例は、クリアファイル以外のフォルダに関するものである。
【００３２】
図６は、フォルダを示す図である。図６（Ａ）及び（Ｂ）はフォルダ４を開いた状態であり、図６（Ａ）は表側から、（Ｂ）は裏側から見た図である。フォルダ４は表面４１と背面４２が接合されて書類等を封入する袋状部（図６（Ｂ）において表面４１の右側の一部の紙面手前側に背面４２があり、表面４１と背面４２との間に書類等を封入する）を構成している。
【００３３】
背面４２には、切欠き５が設けられている。
【００３４】
表面４１の袋状部（右側の一部）と反対の側には、封止部４３が延伸されている。
【００３５】
表面４１及び封止部４３には図案が描かれている。
【００３６】
図６（Ｃ）に、書類等を封入して使用する状態を示す。図６（Ｂ）から、封止部４３を手前側に折り曲げた状態である。封止部４３が切欠き５に係止されて、袋状部を閉じている。
【００３７】
ここで、切欠き５の形状は、図案中の龍の頭部と同一である。切欠き５が図案と調和し、フォルダ４全体が自然なデザインとなっている。
【００３８】
以上詳細に説明したように、本実施例のフォルダ４は、切欠き５の形状が、図案中の形状（龍の頭部）と同一であることにより、自然なデザインとなっている。
【００３９】
なお、封止部４３に図案を描かず、表面４１のみに図案を描き、切欠き５の形状をその図案中の形状と同一としてもよい。
【実施例６】
【００４０】
図７は、仕切り付きのクリアファイルを示す図である。クリアファイル１は、仕切りシート６が設けられ、書類等を２種類に区分して保持することができる。
【００４１】
図７（Ａ）に示すように、クリアファイル１の表面に描かれた龍の図案、仕切りシート６に描かれた植物と鳥の図案がそれぞれ見える。
【００４２】
図７（Ｂ）に示すように、仕切りシート６がクリアファイル１の内側に設けられている。
【００４３】
クリアファイル１の表面は、図７（Ｃ）に示すように、上側に龍の図案が描かれ、指かけ２が設けられ、下側１ａは透明である。
【００４４】
仕切りシート６は、図７（Ｄ）に示すように、下側に植物と鳥の図案が描かれ、指かけ７が設けられている。
【００４５】
透明な下側１ａを通して、仕切りシート６に描かれた植物と鳥の図案が見える。２種の図案を楽しむことができる。
【００４６】
なお、仕切りシート６の正面側に書類等を挿入した時には、仕切りシート６に描かれた植物と鳥の図案が書類に覆われ、クリアファイル１の表面に描かれた龍の図案のみが見える。
【００４７】
このように、仕切り付きのクリアファイルでも、実施例１と同様に自然なデザインを実現することができる。
【００４８】
なお、仕切りシート６は、１枚でなく２枚以上を用いてもよい。
【００４９】
また、クリアファイル１の表面について、仕切りシート６に設けられた指かけ７と同位置に指かけ（図７（Ｃ）に破線で示す）を設けてもよい。２枚のシート（クリアファイル１の表面及び仕切りシート６）の奥の３枚目のシート（クリアファイル１の裏面）を押しやすくするものである。
【産業上の利用可能性】
【００５０】
デザイン性に優れたフォルダである。資料配布における利用、オフィスにおける利用、その他多くの場面における利用が考えられる。
【符号の説明】
【００５１】
１      クリアファイル
２      指かけ
３      裂け止め
４      フォルダ
４１    表面
４２    背面
４３    封止部
５      切欠き
６      仕切りシート
７      指かけ
【図１】
0003218005.tif 000003
【図２】
0003218005.tif 000004
【図３】
0003218005.tif 000005
【図４】
0003218005.tif 000006
【図５】
0003218005.tif 000007
【図６】
0003218005.tif 000008
【図７】
0003218005.tif 000009